(57)【要約】【課題】利用者が踏段を歩行することを抑制することができるエスカレーター踏段歩行抑制システムを得る。【解決手段】利用者４が踏段１２を歩行しているか否かを判定する踏段歩行判定装置７Ａと、利用者４が踏段１２を歩行していないと踏段歩行判定装置７Ａが判定した場合に、利用者４に対応する電子媒体５にポイントを付与するポイント付与装置６３とを備え、踏段歩行判定装置７Ａは、電子媒体５との間で非接触通信を行う上階側端末装置２と、電子媒体５との間で非接触通信を行う下階側端末装置３とを有し、上階側端末装置２が電子媒体５との間で非接触通信を行った上階側通信時刻情報および下階側端末装置３が電子媒体５との間で非接触通信を行った下階側通信時刻情報を用いて利用者４が踏段１２を歩行したか否かを判定する。【選択図】図２
2018203496.tif 000002
【特許請求の範囲】
【請求項１】
利用者がエスカレーターの踏段を歩行したか否かを判定する踏段歩行判定装置と、
前記利用者が前記踏段を歩行していないと前記踏段歩行判定装置が判定した場合に、前記利用者に対応するポイント付与対象装置にポイントを付与するポイント付与装置と
を備えたエスカレーター踏段歩行抑制システム。
【請求項２】
前記踏段歩行判定装置は、前記利用者を撮影するカメラを有し、前記カメラの映像を用いて前記利用者が前記踏段を歩行したか否かを判定する請求項１に記載のエスカレーター踏段歩行抑制システム。
【請求項３】
前記踏段歩行判定装置は、上階側階床に設けられ前記利用者に所持される電子媒体との間で非接触通信を行う上階側端末装置と、下階側階床に設けられ前記電子媒体との間で非接触通信を行う下階側端末装置とを有し、前記上階側端末装置が前記電子媒体との間で非接触通信を行った時刻を示す上階側通信時刻情報および前記下階側端末装置が前記電子媒体との間で非接触通信を行った時刻を示す下階側通信時刻情報を用いて前記利用者が前記踏段を歩行したか否かを判定する請求項１に記載のエスカレーター踏段歩行抑制システム。
【請求項４】
前記踏段歩行判定装置は、前記エスカレーターが混雑しているか否かを判定する混雑判定装置をさらに有し、前記上階側通信時刻情報、前記下階側通信時刻情報および前記混雑判定装置の判定結果を用いて、前記利用者が前記踏段を歩行したか否かを判定する請求項３に記載のエスカレーター踏段歩行抑制システム。
【請求項５】
前記エスカレーターは、駅構内に設けられており、
前記ポイント付与装置は、前記利用者が改札口を通る場合に前記ポイント付与対象装置に付与する請求項１から請求項４までの何れか一項に記載のエスカレーター踏段歩行抑制システム。
【請求項６】
前記利用者が前記踏段を歩行したと前記踏段歩行判定装置が判定した場合であって、前記利用者が前記改札口を通る場合に、前記踏段の歩行を抑制するための啓蒙メッセージを報知する報知装置をさらに備えた請求項５に記載のエスカレーター踏段歩行抑制システム。
【請求項７】
利用者がエスカレーターの踏段を歩行したか否かを判定する踏段歩行判定装置と、前記利用者に対応するポイント付与対象装置にポイントを付与するポイント付与装置とを備えたエスカレーター踏段歩行抑制システムを用いて、前記利用者が前記踏段を歩行することを抑制するエスカレーター踏段歩行抑制方法であって、
前記利用者が前記踏段を歩行したか否かについて、前記踏段歩行判定装置が判定する踏段歩行判定工程と、
前記踏段歩行判定工程において、前記利用者が前記踏段を歩行していないと判定された場合に、前記ポイント付与装置が前記利用者に対応するポイント対象装置にポイントを付与するポイント付与工程と
を備えたエスカレーター踏段歩行抑制方法。
【発明の詳細な説明】
【技術分野】
【０００１】
この発明は、利用者が踏段を歩行することを抑制するエスカレーター踏段歩行抑制システムおよびエスカレーター踏段歩行抑制方法に関する。
【背景技術】
【０００２】
従来、エスカレーターを利用する利用者を撮影するカメラと、エスカレーターの運行情報およびカメラの映像を用いて利用者の移動速度を含む利用者計測情報を取得する利用者計測情報取得装置と、利用者計測情報取得装置が取得した利用者計測情報を用いて、利用者が踏段を歩行しているか否かを示す情報を含む利用状態情報を取得する利用状態情報取得装置とを備えたエスカレーター監視装置が知られている（例えば、特許文献１参照）。
【先行技術文献】
【特許文献】
【０００３】
【特許文献１】特開２０１１−１９５２９０号公報
【発明の概要】
【発明が解決しようとする課題】
【０００４】
しかしながら、利用者が踏段を歩行することを抑制することができないという問題点があった。
【０００５】
この発明は、上述のような課題を解決するためになされたものであり、その目的は、利用者が踏段を歩行することを抑制することができるエスカレーター踏段歩行抑制システムおよびエスカレーター踏段歩行抑制方法を提供するものである。
【課題を解決するための手段】
【０００６】
この発明に係るエスカレーター踏段歩行抑制システムは、利用者がエスカレーターの踏段を歩行したか否かを判定する踏段歩行判定装置と、利用者が踏段を歩行していないと踏段歩行判定装置が判定した場合に、利用者に対応するポイント付与対象装置にポイントを付与するポイント付与装置とを備えている。
【発明の効果】
【０００７】
この発明に係るエスカレーター踏段歩行抑制システムによれば、利用者がエスカレーターの踏段を歩行したか否かを判定する踏段歩行判定装置と、利用者が踏段を歩行していないと踏段歩行判定装置が判定した場合に、利用者に対応するポイント付与対象装置にポイントを付与するポイント付与装置とを備えているので、利用者が踏段を歩行していない場合に利用者に対応するポイント付与対象装置にポイントが付与される。その結果、利用者が踏段を歩行することを抑制することができる。
【図面の簡単な説明】
【０００８】
【図１】この発明の実施の形態１に係るエスカレーター踏段歩行抑制システムを示す構成図である。
【図２】図１のエスカレーター踏段歩行抑制システムを示すブロック図である。
【図３】図２のエスカレーター踏段歩行抑制システムの動作を示すフローチャートである。
【図４】この発明の実施の形態１に係るエスカレーター踏段歩行抑制システムを示す構成図である。
【図５】図４のエスカレーター踏段歩行抑制システムを示すブロック図である。
【図６】図５のエスカレーター踏段歩行抑制システムの動作を示すフローチャートである。
【発明を実施するための形態】
【０００９】
実施の形態１．
図１はこの発明の実施の形態１に係るエスカレーター踏段歩行抑制システムを示す構成図である。図において、この発明の実施の形態１に係るエスカレーター踏段歩行抑制システムは、エスカレーター１と、上階側階床１０１に設けられた上階側端末装置２と、下階側階床１０２に設けられた下階側端末装置３と、エスカレーター１の利用者４に所持される電子媒体５とを備えている。エスカレーター１、上階側端末装置２および下階側端末装置３は、駅構内に配置されている。電子媒体５としては、非接触型ＩＣカードなど、非接触通信を行うことができる装置が挙げられる。電子媒体５は、電子媒体５を所持する利用者４に対応するポイント付与対象装置となっている。付与されるポイントとしては、例えば、電子マネーが挙げられる。
【００１０】
エスカレーター１は、上階側階床１０１と下階側階床１０２とに渡って設けられた主枠１１と、主枠１１に設けられ、上階側階床１０１と下階側階床１０２との間を循環移動する複数の踏段１２と、主枠１１に設けられ、踏段１２に連動して上階側階床１０１と下階側階床１０２との間を循環移動する移動手摺１３とを備えている。上階側端末装置２および下階側端末装置３は、移動手摺１３の移動方向について移動手摺１３から離れて配置されている。
【００１１】
上階側端末装置２は、電子媒体５が上階側端末装置２に対してかざされた場合に、電子媒体５との間で非接触通信を行う。言い換えれば、上階側端末装置２は、上階側端末装置２からの距離について所定の範囲内に電子媒体５が配置された場合に、その電子媒体５との間で非接触通信を行う。上階側端末装置２は、電子媒体５との間で非接触通信を行うことによって、電子媒体５を特定する媒体特定情報を取得する。
【００１２】
下階側端末装置３は、電子媒体５が下階側端末装置３に対してかざされた場合に、電子媒体５との間で非接触通信を行う。言い換えれば、下階側端末装置３は、下階側端末装置３からの距離について所定の範囲内に電子媒体５が配置された場合に、その電子媒体５との間で非接触通信を行う。下階側端末装置３は、電子媒体５との間で非接触通信を行うことによって、電子媒体５を特定する媒体特定情報を取得する。
【００１３】
図２は図１のエスカレーター踏段歩行抑制システムを示すブロック図である。このエスカレーター踏段歩行抑制システムは、改札口に設けられた改札口装置６と、改札口装置６との間で通信を行う踏段歩行判定装置７Ａとをさらに備えている。踏段歩行判定装置７Ａには、上階側端末装置２および下階側端末装置３が含まれている。
【００１４】
改札口装置６は、電子媒体５との間で非接触通信が可能となっている。改札口装置６は、電子媒体５の媒体特定情報を取得しその電子媒体５を所持する利用者４が改札口を通行可能であるか否かを判定する通行可否判定装置６１と、利用者４に対して通行可否の情報およびポイントの付与の情報を報知する表示装置６２と、改札口を通る利用者４が所持する電子媒体５にポイントを付与するポイント付与装置６３と、表示装置６２およびポイント付与装置６３を制御する制御装置６４とを備えている。
【００１５】
踏段歩行判定装置７Ａは、上階側端末装置２および下階側端末装置３との間で通信を行う判定装置本体７１を備えている。判定装置本体７１は、上階側端末装置２が電子媒体５との間で非接触通信を行った時刻を示す上階側通信時刻情報と、その電子媒体５の媒体特定情報とを対応させて上階側端末装置２から取得する。また、判定装置本体７１は、下階側端末装置３が電子媒体５との間で非接触通信を行った時刻を示す下階側通信時刻情報と、その電子媒体５の媒体特定情報とを対応させて下階側端末装置３から取得する。
【００１６】
判定装置本体７１は、同一の媒体特定情報に対応する上階側通信時刻情報および下階側通信時刻情報を用いて、その媒体特定情報に対応する電子媒体５を所持する利用者４が踏段１２を歩行したか否かを判定する。判定装置本体７１の判定結果は、媒体特定情報とともに制御装置６４に入力されるようになっている。
【００１７】
次に、このエスカレーター踏段歩行抑制システムを用いたエスカレーター踏段歩行抑制方法について説明する。図３は図２のエスカレーター踏段歩行抑制システムの動作を示すフローチャートである。この例では、エスカレーター１が上昇運転する場合のエスカレーター踏段歩行抑制方法について説明する。まず、ステップＳ１０１において、乗車媒体特定工程を行う。乗車媒体特定工程では、下階側端末装置３との間で非接触通信を行った電子媒体５の媒体特定情報と、下階側端末装置３と電子媒体５との間で非接触通信が行われた時刻を示す下階側通信時刻情報とを判定装置本体７１が取得する。
【００１８】
その後、ステップＳ１０２において、降車媒体特定工程を行う。降車媒体特定工程では、上階側端末装置２との間で非接触通信を行った電子媒体５の媒体特定情報と、上階側端末装置２と電子媒体５との間で非接触通信が行われた時刻を示す上階側通信時刻情報とを判定装置本体７１が取得する。
【００１９】
その後、ステップＳ１０３において、踏段歩行判定工程を行う。踏段歩行判定工程では、同一の媒体特定情報に対応する下階側通信時刻情報および上階側通信時刻情報を用いて、電子媒体５を所持する利用者４が踏段１２を歩行したか否かを判定する。具体的には、下階側通信時刻情報および上階側通信時刻情報を用いて乗車時間を算出し、算出した乗車時間が予め設定された比較時間の範囲内であるか否かに基づいて、利用者４が踏段１２を歩行したか否かを判定する。通行可否判定装置６１には、比較時間の上限値および下限値が予め設定されている。比較時間の上限値および下限値は、利用者４が踏段１２を歩行せずに上階側端末装置２と下階側端末装置３との間を移動する場合にかかる時間に基づいて決められる。言い換えれば、比較時間の上限値および下限値は、上階側端末装置２と踏段１２との間の距離、踏段１２の上階側階床１０１と下階側階床１０２との間の移動時間および下階側端末装置３と踏段１２との間の距離を用いて決定される。
【００２０】
ステップＳ１０３において利用者４が踏段１２を歩行していないと判定された場合には、ステップＳ１０４において、ポイント付与工程を行う。ポイント付与工程では、利用者４が改札口を通るために改札口装置６と電子媒体５との間で非接触通信が行われる際に、ポイント付与装置６３が電子媒体５にポイントを付与する。また、ポイント付与工程では、表示装置６２は、ポイントが付与されたことを表示する。
【００２１】
一方、踏段歩行判定工程において利用者４が踏段１２を歩行したと判定された場合には、ステップＳ１０５において、啓蒙表示工程を行う。啓蒙表示工程では、利用者４が改札口を通るために改札口装置６と電子媒体５との間で非接触通信が行われる際に、踏段１２を歩行しないことを推奨する旨を表示する。以上により、エスカレーター踏段歩行抑制方法が終了する。
【００２２】
以上説明したように、この発明の実施の形態１に係るエスカレーター踏段歩行抑制システムによれば、利用者４が踏段１２を歩行したか否かを判定する踏段歩行判定装置７Ａと、利用者４が踏段１２を歩行していないと踏段歩行判定装置７Ａが判定した場合に、利用者４に対応する電子媒体５にポイントを付与するポイント付与装置６３とを備えているので、利用者４が踏段１２を歩行していない場合に利用者４に対応する電子媒体５にポイントが付与される。その結果、利用者４が踏段１２を歩行することを抑制することができる。
【００２３】
また、踏段歩行判定装置７Ａは、上階側階床１０１に設けられ利用者４に所持される電子媒体５との間で非接触通信を行う上階側端末装置２と、下階側階床１０２に設けられ電子媒体５との間で非接触通信を行う下階側端末装置３とを有し、上階側端末装置２が電子媒体５との間で非接触通信を行った時刻を示す上階側通信時刻情報および下階側端末装置３が電子媒体５との間で非接触通信を行った時刻を示す下階側通信時刻情報を用いて利用者４が踏段１２を歩行したか否かを判定するので、昇降行程の大きいエスカレーターであっても、上階側端末装置２および下階側端末装置３を１つずつ配置するだけで利用者４が踏段１２を歩行したか否かを判定することができる。これにより、エスカレーター踏段歩行抑制システムの簡素化を図ることができる。
【００２４】
また、エスカレーター１は、駅構内に設けられており、ポイント付与装置６３は、利用者４が改札口を通る場合に電子媒体５に付与するので、利用者４は、簡単にポイントを取得することができる。
【００２５】
また、利用者４が踏段１２を歩行したと踏段歩行判定装置７Ａが判定した場合であって、利用者４が改札口を通る場合に、踏段１２の歩行を抑制するための啓蒙メッセージを報知する表示装置６２をさらに備えているので、踏段１２を歩行した利用者４に対して、簡単に啓蒙メッセージを報知することができる。
【００２６】
また、この発明の実施の形態１に係るエスカレーター踏段歩行抑制方法によれば、利用者４が踏段１２を歩行したか否かについて、踏段歩行判定装置７Ａが判定する歩行判定工程と、踏段歩行判定工程において、利用者４が踏段１２を歩行していないと判定された場合に、ポイント付与装置６３が利用者４に対応する電子媒体５にポイントを付与するポイント付与工程とを備えているので、利用者４が踏段１２を歩行していない場合に利用者４に対応する電子媒体５にポイントが付与される。その結果、利用者４が踏段１２を歩行することを抑制することができる。
【００２７】
なお、上記実施の形態１では、上階側端末装置２および下階側端末装置３が移動手摺１３から離れて設けられた構成について説明したが、上階側端末装置２および下階側端末装置３が移動手摺１３を案内するガイドレールに設けられた構成であってもよい。この場合、電子媒体５は、移動手摺１３を挟んで上階側端末装置２および下階側端末装置３との間で非接触通信を行う。
【００２８】
また、上記実施の形態１では、踏段歩行判定装置７Ａが、下階側通信時刻情報および上階側通信時刻情報を用いて乗車時間を算出し、算出した乗車時間が予め設定された比較時間の範囲内であるか否かに基づいて、利用者４が踏段１２を歩行したか否かを判定する構成について説明したが、踏段歩行判定装置７Ａは、エスカレーター１が混雑しているか否かを判定する混雑判定装置を有し、上階側通信時刻情報、下階側通信時刻情報および混雑判定装置の判定結果を用いて、利用者４が踏段１２を歩行したか否かを判定する構成であってもよい。エスカレーター１が混雑時には、上階側端末装置２または下階側端末装置３と踏段１２との移動時間が通常時の移動時間と比較して大きくなる。これにともなって、混雑時の比較時間を通常時の比較時間よりも大きくする。
【００２９】
実施の形態２．
図４はこの発明の実施の形態２に係るエスカレーター踏段歩行抑制システムを示す構成図である。図において、この発明の実施の形態２に係るエスカレーター踏段歩行抑制システムは、実施の形態１と異なり、上階側端末装置２および下階側端末装置３を備えていない。また、このエスカレーター踏段歩行抑制システムは、エスカレーター１を利用する利用者４を撮影するカメラ８を備えている。カメラ８は上階側階床１０１に取り付けられている。なお、カメラ８の設置個所は、上階側階床１０１に限らず、その他の箇所に取り付けられてもよい。
【００３０】
図５は図４のエスカレーター踏段歩行抑制システムを示すブロック図である。このエスカレーター踏段歩行抑制システムは、改札口に設けられた改札口装置６と、改札口装置６との間で通信を行う踏段歩行判定装置７Ｂとをさらに備えている。踏段歩行判定装置７Ｂには、カメラ８が含まれている。
【００３１】
踏段歩行判定装置７Ｂは、利用者４の顔情報および利用者４が所持する電子媒体５の媒体特定情報が対応して記憶された情報記憶装置７２と、エスカレーター１を利用する利用者４が所持する電子媒体５を特定する媒体特定装置７３と、エスカレーター１を利用する利用者４が踏段１２を歩行しているか否かを判定する判定装置本体７４とを備えている。
【００３２】
媒体特定装置７３は、カメラ８の映像と、情報記憶装置７２に記憶されている顔情報おおび媒体特定情報とを用いて、エスカレーター１を利用する利用者４が所持する電子媒体５を特定する。
【００３３】
判定装置本体７４は、カメラ８の映像を用いて、エスカレーター１を利用する利用者４が踏段１２を歩行しているか否かを判定する。判定装置本体７４の判定結果は、媒体特定装置７３が特定する媒体特定情報とともに制御装置６４に入力されるようになっている。
【００３４】
次に、このエスカレーター踏段歩行抑制システムを用いたエスカレーター踏段歩行抑制方法について説明する。図６は図５のエスカレーター踏段歩行抑制システムの動作を示すフローチャートである。まず、ステップＳ２０１において、媒体特定工程を行う。媒体特定工程では、カメラ８の映像と情報記憶装置７２に記憶されている顔情報および媒体特定情報とを用いて、利用者４が所持する電子媒体５を媒体特定装置７３が特定する。
【００３５】
その後、ステップＳ２０２において、踏段歩行判定工程を行う。踏段歩行判定工程では、カメラ８の映像を用いて利用者４が踏段１２を歩行したか否かを判定する。
【００３６】
ステップＳ２０２において利用者４が踏段１２を歩行していないと判定された場合には、ステップＳ２０３において、ポイント付与工程を行う。ポイント付与工程では、利用者４が改札口を通るために改札口装置６と電子媒体５との間で非接触通信が行われる際に、ポイント付与装置６３が電子媒体５にポイントを付与する。また、ポイント付与工程では、表示装置６２は、ポイントが付与されたことを表示する。
【００３７】
一方、踏段歩行判定工程において利用者４が踏段１２を歩行したと判定された場合には、ステップＳ２０４において、啓蒙表示工程を行う。啓蒙表示工程では、利用者４が改札口を通るために改札口装置６と電子媒体５との間で非接触通信が行われる際に、踏段１２を歩行しないことを推奨する旨を表示する。以上により、エスカレーター踏段歩行抑制方法が終了する。
【００３８】
以上説明したように、この発明の実施の形態２に係るエスカレーター踏段歩行抑制システムによれば、踏段歩行判定装置７Ｂは、利用者４を撮影するカメラ８を有し、カメラ８の映像を用いて利用者４が踏段１２を歩行したか否かを判定するので、実施の形態１と比較して、上階側端末装置２および下階側端末装置３を備える必要がなくなる。これにより、エスカレーター踏段歩行抑制システムの簡素化を図ることができる。
【００３９】
なお、上記実施の形態２では、媒体特定装置７３がカメラ８の映像を用いて、エスカレーター１を利用する利用者４が所持する電子媒体５を特定する構成について説明したが、これに限らず、実施の形態１と同様に、上階側端末装置２または下階側端末装置３を備え、電子媒体５との間で非接触通信を行うことによって、利用者４が所持する電子媒体５を特定する構成であってもよい。また、媒体特定装置７３は、指紋認証装置などの生体認証装置を用いて利用者４と特定し、その利用者４に対応する電子媒体５を特定する構成であってもよい。
【００４０】
また、各上記実施の形態では、改札口を通るたびにポイントが付与される構成について説明したが、これに限らず、例えば、１日に一回だけポイントが付与される構成であってもよい。
【００４１】
また、各上記実施の形態では、ポイントの付与に関連するエスカレーター１および改札口装置６について限定しない構成について説明したが、例えば、利用者４が通勤または通学する定期券区間内の特定の駅およびこの特定の駅における特定のエスカレーターを予め登録し、この登録された特定の駅の改札口装置６および特定のエスカレーターのみが、ポイントの付与に関連する構成であってもよい。
【００４２】
また、各上記実施の形態では、啓蒙メッセージを報知する報知装置として、表示装置６２を例に説明したが、これに限らず、例えば、啓蒙メッセージを報知するスピーカー装置であってもよい。
【００４３】
また、各上記実施の形態では、エスカレーター１が駅構内に設けられたエスカレーター踏段歩行抑制システムの構成について説明したが、これに限らず、例えば、エスカレーター１が商業施設に設けられたエスカレーター踏段歩行抑制システムであってもよい。この場合、改札口装置６の代わりに、表示装置およびポイント付与装置を備えた装置が商業施設に設けられる。
【符号の説明】
【００４４】
１  エスカレーター、２  上階側端末装置、３  下階側端末装置、４  利用者、５  電子媒体、６  改札口装置、７Ａ、７Ｂ  踏段歩行判定装置、８  カメラ、１１  主枠、１２  踏段、１３  移動手摺、６１  通行可否判定装置、６２  表示装置、６３  ポイント付与装置、６４  制御装置、７１  判定装置本体、７２  情報記憶装置、７３  媒体特定装置、７４  判定装置本体、１０１  上階側階床、１０２  下階側階床。
【図１】
2018203496.tif 000003
【図２】
2018203496.tif 000004
【図３】
2018203496.tif 000005
【図４】
2018203496.tif 000006
【図５】
2018203496.tif 000007
【図６】
2018203496.tif 000008